(57)【要約】【課題】鍵盤装置を小型化するとともに、鍵の幅方向へ力が加わった場合の可動許容範囲が広い電子鍵盤楽器の鍵盤装置を提供する。【解決手段】鍵本体部１１には、鍵を押離鍵方向に揺動可能にする鍵支点機能部が形成されて共通基端部１９に結合され、これらは樹脂により一体に形成されている。鍵支点機能部は、縦ヒンジ部１１ａ、左右ヒンジ部１１ｂを有する。縦ヒンジ部１１ａは、鍵の長手方向に薄く鍵の下方向に沿う薄板片状に形成され、その下端は帯状の共通基端部１９に結合され、その上部前面中央は左右ヒンジ部１１ｂに結合される。左右ヒンジ部１１ｂは、鍵の幅方向に薄く鍵の長手方向に沿う薄板片状に形成され、その前端は、連結部１１ｃの後面中央に結合される。連結部１１ｃは、鍵の下方向に沿う板片状に形成され、その左右端は、側面部１１ｄ，１１ｅの内側面に結合される。【選択図】図２
2008003209.tif 000002
【特許請求の範囲】
【請求項１】
複数の鍵が少なくとも１つの鍵ユニットを構成し、前記鍵ユニットを構成する各鍵は、鍵本体部の後方において前記鍵を押離鍵方向に揺動可能にする鍵支点機能部を介して共通基端部に結合されることにより一体に形成され、前記共通基端部が鍵フレームに固定される電子鍵盤楽器の鍵盤装置であって、
前記鍵支点機能部は、相互に結合された縦ヒンジ部と左右ヒンジ部を有し、
前記縦ヒンジ部は、前記鍵の長手方向に薄く前記鍵の下方向に沿う薄板片状に形成されており、前記鍵の先端部を押離鍵方向に揺動可能とし、
前記左右ヒンジ部は、前記鍵の幅方向に薄く前記鍵の長手方向に沿う薄板片状に形成されており、前記鍵の先端部を前記鍵の幅方向に変位可能とし、
前記縦ヒンジ部又は前記左右ヒンジ部の一方は前記鍵本体部の後部に結合され、他方は前記共通基端部に結合されている、
ことを特徴とする電子鍵盤楽器の鍵盤装置。
【請求項２】
前記鍵支点機能部は、前記鍵本体部の上面部裏面よりも下方に形成され、該鍵支点機能部の少なくとも一部は、前記鍵本体部の後端部よりも先端部寄りに形成されている、
ことを特徴とする請求項１に記載の電子鍵盤楽器の鍵盤装置。
【請求項３】
前記共通基端部は、前記鍵の長手方向に薄く前記鍵の幅方向に沿う帯状に形成されており、
前記左右ヒンジ部は、前記鍵本体部の上面部裏面よりも下方に離間して結合され、
前記縦ヒンジ部は、前記鍵本体部の後端部より後方において前記左右ヒンジ部と前記共通基端部とに結合されている、
ことを特徴とする請求項２に記載の電子鍵盤楽器の鍵盤装置。
【発明の詳細な説明】
【技術分野】
【０００１】
本発明は、電子鍵盤楽器の鍵盤装置に関するものであり、特にその鍵支点機能部の構造及び鍵盤装置の小型化に関するものである。
【背景技術】
【０００２】
ポータブル・キーボード、シンセサイザ、電子オルガン、電子ピアノ等の、従来の電子鍵盤楽器の鍵盤装置として、複数の鍵で鍵ユニットを構成し、複数の鍵ユニットを重ね合わせて鍵フレームに固定するものが知られている（例えば、特許文献１の図２，図３を参照）。
図５は、従来の鍵ユニットの問題点を説明するための模式的説明図である。
例えば、１オクターブの鍵について、これを複数の黒鍵からなる１つの構造体（黒鍵ユニット）と、白鍵を少なくとも１つ置きに櫛歯状に形成した複数の構造体（例えば、Ｃ，Ｅ，Ｇ，Ｂの４鍵からなる白鍵ユニットと、Ｄ，Ｆ，Ａの３鍵からなる白鍵ユニット）とに分割し、各鍵の後端部を共通基端部で結合して樹脂で一体成形し、複数の鍵ユニットをそれぞれの共通基端部で重ね合わせて鍵フレームに固定している。
【０００３】
図５（ａ）において、白鍵ユニットを構成する複数の鍵本体部５１〜５３の後端部は、弾性変形する水平ヒンジ部５１ａ〜５３ａを介して帯状の共通基端部５４に結合されている。鍵本体部５１〜５３は、水平ヒンジ部５１ａ〜５３ａを支点として押離鍵方向に揺動可能する。
５５〜５７はガイド部（鍵ガイド）であり、図示しない鍵フレームに設けられ、各鍵本体部５１〜５３の裏側内部に突出している。この鍵ガイド５５〜５７は、鍵本体部５１〜５３の鍵の幅方向（鍵の左右方向）の変位の規制、及び、鍵の長手方向（鍵の奥行き方向）を軸線としたローリングの規制をする。
【０００４】
しかし、鍵ユニットの成形時には、後収縮等のために、設計寸法に対して誤差が発生したり変形したりする。鍵本体部５１〜５３や共通基端部５４に誤差や変形が生じた場合、誤差や変形が生じた鍵ユニットを無理やり鍵フレームに実装すると、局部的に不要な力が作用する。
例えば、鍵本体部５３が変形している場合、図５（ｂ）に示すように、鍵本体部５３の変形が、水平ヒンジ部５３ａを鍵の幅方向に歪ませ、共通基端部５４を介して、他の鍵も変形させてしまう。その結果、各鍵ガイド５５〜５７が、図示ａ，ｂ，ｃにおいて鍵本体部５１〜５３の裏側の内側面を圧接する。共通基端部５４の図示ｄ，ｅ部分が変形した場合も同様である。その結果、鍵本体部５１〜５３が鍵ガイド５５〜５７、あるいは隣接する鍵本体部と擦れて滑らかに動かない等、悪影響を及ぼすという問題がある。
【０００５】
図６は、従来の他の鍵ユニットの問題点を説明するための、１つの鍵を示す図である（特許文献１の図１，４参照）。
図中、６１は鍵本体部、６１ａはその後端部において弾性変形により鍵本体部６１を揺動可能にする水平ヒンジ部、６１ｂは弾性変形により鍵本体部６１を鍵の幅方向に変位可能にする左右ヒンジ部、６２は帯状の共通基端部である。
水平ヒンジ部６１ａは、鍵の下方向（鍵の鉛直方向）に薄肉であり、鍵の長手方向に沿った水平薄板片である。左右ヒンジ部６１ｂは、鍵の幅方向に薄肉であり、鍵の長手方向に沿った垂直薄板片である。
水平ヒンジ部６１ａと左右ヒンジ部６１ｂ、左右ヒンジ部６１ｂと共通基端部６２は、結合部６１ｃ，６１ｄを介して結合されている。結合部６１ｃ，６１ｄは、鍵の長手方向に厚みを有し、鍵の幅方向に沿う板片状に形成されている。
【０００６】
６１ｅはストッパ片であり、鍵フレーム側に配置されたストッパにより、鍵本体部８１の揺動範囲を規制するものである。特許文献１（図１参照）において、このストッパ片６１ｅは、フレームに設けられたスリット内に挿入されることにより、鍵ガイドの機能も果たしている。
成形時の後収縮等により、鍵本体部６１が鍵の幅方向に変形していても、水平ヒンジ部６１ｂが僅かに曲がることにより、鍵本体部６１が鍵の幅方向に揺動してその位置が矯正され、共通基端部６２に対し鍵本体部６１が直角をなすように、各鍵の幅方向の傾きが調節される。
【０００７】
しかし、鍵本体部６１は、その後端部から、長手方向に沿った水平ヒンジ部６１ａを有する鍵支点機能部を介して長手方向に沿った共通基端部６２に結合されているため、鍵盤装置の奥行き方向が長くなる。そのため、鍵盤装置を収容する電子鍵盤楽器の奥行きも長くなる。
また、共通基端部６２の上部は楽器本体パネルにより覆われるが、この下部にスイッチ等の取付スペースを要する。そのため、楽器本体パネルは、共通基端部６２より十分に高くしなければならないという問題もある。
【０００８】
一方、鍵支点機能部として、縦ヒンジを用いた鍵盤装置が知られている（特許文献２参照）。
鍵ユニットを構成する各鍵の長手方向中間部（黒鍵の後面部がある位置）に、鍵の長手方向に薄く鍵の下方向に沿う薄板片状の縦ヒンジ部が形成され、鍵の先端部を押離鍵方向に揺動可能とする。縦ヒンジ部は、同一面上にある帯状の共通基端部に結合されて一体成形されている。この文献では、鍵の後部に重錘を備えていたり、重錘が固着されたレバーに当接する形状の後端部を備えていたりするため、鍵本体部が黒鍵の後面部がある位置よりも後方に延長されている。
【０００９】
ここで、各鍵の後端部を延長することなく、下方向に延ばし、その部分を縦ヒンジ部とすれば、水平ヒンジ部に比べて、鍵盤装置を鍵の長手方向に短縮できる。
その際、縦ヒンジ部を下方向に十分長くすれば、鍵の幅方向への力に対し、ヒンジが捩じれながら変位するから、可動範囲が広くなる。しかし、縦ヒンジ部が斜めに捩じれながら動くため、縦ヒンジ部の根元部に応力が集中し縦ヒンジ部の耐久性が劣る。また、鍵本体部がローリングしやすくなってしまい、隣接する鍵本体部や鍵ガイドとの接触による機械的雑音の発生等の問題点が生じる。
【特許文献１】特許第２６２８５６６号公報
【特許文献２】実公平６−３１５０７号公報
【発明の開示】
【発明が解決しようとする課題】
【００１０】
本発明は、上述した問題点を解決するためになされたもので、鍵盤装置を小型化するとともに、鍵の幅方向へ力が加わった場合の可動許容範囲が広い電子鍵盤楽器の鍵盤装置を提供することを目的とするものである。
【課題を解決するための手段】
【００１１】
本発明は、請求項１に記載の発明においては、電子鍵盤楽器の鍵盤装置において、複数の鍵が少なくとも１つの鍵ユニットを構成し、前記鍵ユニットを構成する各鍵は、鍵本体部の後方において前記鍵を押離鍵方向に揺動可能にする鍵支点機能部を介して共通基端部に結合されることにより一体に形成され、前記共通基端部が鍵フレームに固定される電子鍵盤楽器の鍵盤装置であって、前記鍵支点機能部は、相互に結合された縦ヒンジ部と左右ヒンジ部を有し、前記縦ヒンジ部は、前記鍵の長手方向に薄く前記鍵の下方向に沿う薄板片状に形成されており、前記鍵の先端部を押離鍵方向に揺動可能とし、前記左右ヒンジ部は、前記鍵の幅方向に薄く前記鍵の長手方向に沿う薄板片状に形成されており、前記鍵の先端部を前記鍵の幅方向に変位可能とし、前記縦ヒンジ部又は前記左右ヒンジ部の一方は前記鍵本体部の後部に結合され、他方は前記共通基端部に結合されているものである。
従って、鍵の先端部を押離鍵方向に揺動可能とする鍵支点として、水平ヒンジに代えて縦ヒンジを用いたことから、鍵支点機能部の鍵の長手方向が短縮される。
鍵支点機能部が鍵本体部の後端に設けられる場合においては、鍵盤装置の奥行きも短縮される。
一方、左右ヒンジ部を併用しているため、鍵の幅方向へ力が加わった場合の可動許容範囲が広くなるとともに、鍵の幅方向へ力が加わった場合に縦ヒンジ部に加わる応力を緩和することができる。
【００１２】
請求項２に記載の発明においては、請求項１に記載の電子鍵盤楽器の鍵盤装置において、前記鍵支点機能部は、前記鍵本体部の上面部裏面よりも下方に形成され、該鍵支点機能部の少なくとも一部は、前記鍵本体部の後端部よりも先端部寄りに形成されているものである。
従って、該鍵支点機能部の少なくとも一部は、前記鍵本体部の後端部よりも先端部寄りに形成されているから、鍵盤装置の奥行きが短縮される。
【００１３】
請求項３に記載の発明においては、請求項２に記載の電子鍵盤楽器の鍵盤装置において、
前記共通基端部は、前記鍵の長手方向に薄く前記鍵の幅方向に沿う帯状に形成されており、前記左右ヒンジ部は、前記鍵本体部の上面部裏面よりも下方に離間して結合され、前記縦ヒンジ部は、前記鍵本体部の後端部より後方において前記左右ヒンジ部と前記共通基端部とに結合されているものである。
従って、共通基端部が鍵の長手方向に薄いことから、鍵の長手方向が短縮される。また、縦ヒンジ部が鍵の本体部の後方端より後方に配置されるため、左右ヒンジ部とこれに結合された縦ヒンジ部とを容易に成形することができる。
【発明の効果】
【００１４】
本発明は、上述した構成により、鍵フレームの設計誤差や成形時の後収縮等により鍵の幅方向へ力が加わる場合の可動許容範囲を向上させたり、支点部の応力緩和によって支点部の耐久性を向上させたりするとともに、従来よりも、鍵支点機能部の奥行きや鍵盤装置の奥行きを短縮し、電子鍵盤楽器において、鍵盤装置の後方の楽器本体パネル部の下に広い空きスペースが得られたり、電子鍵盤楽器の奥行きを短縮したりすることができるという効果がある。
【発明を実施するための最良の形態】
【００１５】
図１は、本発明の実施の一形態を説明する斜視図である。図１（ａ）は白鍵ユニット１を背面側から、図１（ｂ）は底面側から見たものである。鍵ユニットは1オクターブ分を図示している。
図中、１１〜１４は、白鍵ユニット１を構成するＢ鍵，Ｇ鍵，Ｅ鍵，Ｃ鍵の鍵本体部である。各鍵本体部１１〜１４には、その後方の上面部の裏面よりも下方に、鍵を押離鍵方向に揺動可能にする鍵支点機能部１５〜１８が形成され、この鍵支点機能部１５〜１８は、共通基端部１９に結合され、これらは樹脂により一体に形成されている。
共通基端部１９は、鍵の長手方向（鍵の奥行き方向）に薄く鍵の幅方向（鍵の左右方向）に沿う帯状に形成されている。この共通基端部１９を、図２（ｂ），図２（ｃ）を参照して説明する黒鍵ユニット３の共通基端部２２，白鍵ユニット２の共通基端部２４とともに、取付孔１９a〜１９ｃを位置合わせしてネジ等により、図示しない鍵フレームに整列固定する。
各鍵はいずれも同様の構成であるから、以下の説明では、Ｂ鍵について説明する。
【００１６】
鍵支点機能部１５は、縦ヒンジ部１１ａと左右ヒンジ部１１ｂとを有している。
縦ヒンジ部１１ａは、鍵の長手方向に薄く鍵の下方向（鍵の鉛直方向）に沿う薄板片状に形成され、鍵の先端部（自由端側）１１ｋを押離鍵方向（通常の押鍵操作による）に揺動可能にする。
縦ヒンジ部１１ａの下端は帯状の共通基端部１９に結合され、縦ヒンジ部１１ａの上部の前面中央は左右ヒンジ部１１ｂの後端に結合される。左右ヒンジ部１１ｂと結合されていない縦ヒンジ部１１ａの下部が、揺動の鍵支点として機能する。
図示の例では、縦ヒンジ部１１ａと共通基端部１９とは厚みを同じくして同一面を構成する。図示の縦ヒンジ部１１ａは、鍵本体部１１に対し鉛直下方に延びているが、鍵の長手方向に傾斜させてもよい。
【００１７】
左右ヒンジ部１１ｂは、鍵の幅方向に薄く鍵の長手方向に沿う薄板片状に形成され、鍵の先端部１１ｋを鍵の幅方向に変位可能とする。左右ヒンジ部１１ｂの肉厚は、縦ヒンジ部１１ａの肉厚よりも厚くしている。
左右ヒンジ部１１ｂの前端は、鍵本体部１１の上面部１１ｆの裏面に潜り込み、図１（ｂ）に示す連結部１１ｃの後面中央に結合されている。
連結部１１ｃは、鍵の長手方向に厚みを有し鍵の下方向に沿う板片状に形成され、その左右端は、側面部１１ｄ，１１ｅの内側面に結合されている。詳細は、図２（ｃ）を参照して説明する。
１１ｇ，１１ｈはストッパ片であって、鍵本体部１１の右側面部１１ｄ，左側面部１１ｅから下方向へ延び、その先端が曲がってＬ字状になっている。１１ｉ，１１ｊは、第１，第２のアクチュエータであって、上面部１１ｆの裏面（天井面）からＨ字状に突出し、鍵の長手方向に沿って配置されている。
【００１８】
図２は、本発明の実施の一形態における黒鍵ユニット３、白鍵ユニット２、白鍵ユニット１を示す説明図である。
図２（ａ）は黒鍵ユニット３の右側面図であるが、部分的に断面構造を示す図である。
図２（ｂ）は白鍵ユニット２の右側面図である。
図２（ｃ）は、白鍵ユニット１の右側面断面図であって、図２（ｄ）に示す白鍵ユニット１の底面図（部分）におけるＡ−Ａで指示される面に沿うものである。
最初に、図２（ｃ）を参照して、図１を参照して説明した白鍵ユニット１の鍵支点機能部１５の構造を更に詳しく説明する。
連結部１１ｃは、上面部１１ｆの裏面（天井面）から離されている。連結部１１ｃを裏面にも結合したとすると、成形時に、上面部１１ｆの表面に「ヒケ」（窪み）が生じやすくなるからである。金型を、後端部１１ｍの側からスライドさせることにより成形できる。
【００１９】
連結部１１ｃ，左右ヒンジ部１１ｂ、縦ヒンジ部１１ａの上端が一致しているから、鍵支点機能部１５は、鍵本体部１１の上面部１１ｆの裏面より下方向に形成されている。
従って、鍵支点機能部１５の一部、すなわち、左右ヒンジ部１１ｂの少なくとも一部は、鍵本体部１１の中に入り込んでいるから、鍵の長手方向を、図６に示した従来の鍵よりも短縮できる。
共通基端部１９の肉厚は、縦ヒンジ部１１ａと同じにしているが、これよりも厚くしてもよい。
縦ヒンジ部１１ａ及び共通基端部１９は、鍵の長手方向の厚みが薄いことから、鍵支点機能部自体も、図６に示した水平ヒンジ部を用いる従来の鍵よりも短縮されている。
【００２０】
図２（ｂ）に示す白鍵ユニット２は、Ｄ，Ｆ，Ａの３鍵からなるものである。縦ヒンジ部２３ａ，左右ヒンジ部２３ｂ，連結部２３ｃの形状及び寸法は、図２（ｃ）に示した白鍵ユニット１の縦ヒンジ部１１ａ，左右ヒンジ部１１ｂ，連結部１１ｃと同じでよい。
ただし、その共通基端部２４は、図２（ｃ）に示した共通基端部１９の図示右側に重ね合わせるため、共通基端部１９の厚み分だけ後端部２３ｍ側にずれて配置されている。
【００２１】
図２（ａ）に示す黒鍵ユニット３において、その鍵支点機能部は、白鍵ユニット１，２とは若干異なる。鍵本体部２１には、後面部２１ｆがあるため、金型成形の制約から、連結部２１ｃを鍵本体部２１内部における後面部２１ｆ近傍に設けることが難しい。
そのため、後端部２１ｈ及び後面部２１ｆの下端から水平に先端部２１ｇの方向に底面部２１ｄを形成し、この底面部２１ｄの先端部２１ｇ側の端部から下方向に延びる連結部２１ｃを形成する。底面部２１ｄを設けることにより、鍵支点機能部が先端部２１ｆ寄りになるようにしている。
【００２２】
連結部２１ｃは、鍵の長手方向に厚みを有し鍵の下方向に沿う板片状に形成され、その幅は、鍵本体部２１の左右側面部の内幅とほぼ等しくすればよい。連結部２１ｃの後面中央に左右ヒンジ部２１ｂを結合し、左右ヒンジ部２１ａは、縦ヒンジ部２１ａの上部前面の中央に結合する。
縦ヒンジ部２１ａの下端は、共通基端部２２に結合する。左右ヒンジ部２１ｂと結合されていない縦ヒンジ部２１ａの下部が、揺動の鍵支点として機能する。
共通基端部２２は、鍵の長手方向に薄く鍵の幅方向に沿う帯状に形成され、その肉厚は、縦ヒンジ部２１ａよりも厚くしているが、同じ肉厚にしてもよい。
黒鍵の場合は、鍵支点機能部の構造が複雑になるため、より簡単な構造に変えてもよい。底面部２１ｄを設けることなく、後端部２１ｈの下端から直接的に下方向に連結部２１ｃを結合してもよい。
【００２３】
図３は、図２に示した鍵ユニットを合わせて鍵盤装置を組み立てた状態を示す右側面図である。
図中、図１，図２と同様な部分には同じ符号を付して説明を省略する。
３１は鍵フレームであって、樹脂により一体成型されたもの、又は、樹脂と樹脂以外の材質（例えば、金属）との複合材である。３１ａ，３１ｄは、この鍵フレーム３１を電子鍵盤楽器の下筐体に取り付けるためのねじボス部である。
３１ｂはフレーム段差部であって、ストッパ片１１ｇ，１１ｈの下部先端が入り込むスリットが設けられている。ストッパ片１１ｇ，１１ｈに対し、下限ストッパ３２、上限ストッパ３３がある。
３１ｃは傾斜面部であり、この上に、図示しない基板ユニットが配置され、その上に２個の鍵スイッチ、例えば、弾性を有しドーム形状のオンオフセンサが載置されている。鍵本体部１１を押鍵操作すると、アクチュエータ１１ｉ，１１ｊにより、鍵スイッチが時間差を持ってオンとなる。
【００２４】
図２に示した共通基端部１９，２４，２２は、図示左側からこの順に重ね合わされ、取付孔を位置合わせし、ねじ３４により、フレーム後端壁３１ｆに取付固定される。３１ｅはネジ３４用のねじボス部である。３１ｇは共通基端部１９，２４，２２の下端をそろえる基端受部である。
３５は楽器本体パネル部であり、黒鍵の後面部２１ｆよりも後方の鍵盤面を覆う。各鍵の後端部１１ｍ，２３ｍ，２１ｈは、黒鍵の後面部２１ｆのわずか後方にあるため、楽器本体パネル部３５に覆われる。楽器本体パネル部３５から露出している鍵盤面は、鍵外観面と呼ばれている。
【００２５】
図示の例では、鍵本体部１１のストッパ片１１ｇ（１１ｈも同様）は、その下部先端が鍵の後方（後端部１１ｍ側）に突出し、図示の右側面図ではＬ字状に形成されていた。
これに代えて、ストッパ片１１ｇ，１１ｈは、その下部先端が鍵の前方（先端部１１ｋ側）に突出するように形成されてもよい。この場合、フレーム前方段差部３１ｈにスリットを設け、下部先端がこのスリットに入り込むように、鍵フレーム３１の形状及び寸法を変更する。上限ストッパ３３は、鍵を押していない時に下部先端の上部が当接することになる前方水平面部３１ｉの裏面に配置し、下限ストッパ３２は、鍵の先端部１１ｋを最大限まで押下した時にストッパ片１１ｇ，１１ｈの下端が当接する位置に配置する。
上述したストッパ片１１ｇ，１１ｈの変形例と、これに関連する鍵フレーム３１の形状及び寸法の変更、上限ストッパ３３，下限ストッパ３２の配置の変更に関しては、図２（ａ），（ｂ）を参照して説明した黒鍵ユニット３，白鍵ユニット２の各鍵についても同様である。また、図４を参照して後述する第２の実施の形態における各鍵についても同様である。
【００２６】
図示のように、鍵支点機能部（縦ヒンジ部１１ａ，２３ａ，２１ａ及び左右ヒンジ部１１ｂ，２３ｂ，２１ｂ）が、鍵本体部１１，２３，２１の後方であって、上面部１１ｆ，２３ｆ，２１ｅの裏面よりも下方に形成され、鍵支点機能部の少なくとも一部は、鍵本体部の後端部１１ｍ，２３ｍ，２１ｈ（より厳密にいうならば、上述した鍵外観面後端）よりも先端部寄りに形成され、この鍵支点機能部よりもさらに後方には、他の鍵機能部材（例えば、アクチュエータやピアノアクション機構）がないようにすれば、楽器本体パネル部３５の下部に空きスペースを確保することができる。
従って、この空きスペースに、楽器本体パネル部３５に取り付ける操作子やスイッチ類の取付スペース３６を設けたり、メイン基板，電池ケース等の収容スペース３７を設けたりすることができる。
これらの取付スペース３６や収容スペース３７の容積が従来製品と同じであるとすれば、電子鍵盤楽器の奥行きを短縮できることになる。
なお、鍵本体部１１，２３，２１の揺動支点は、左右ヒンジ部１１ｂ，２３ｂ，２１ｂと結合していない、縦ヒンジ部１１ａ，２３ａ，２１ａの下部となる。揺動支点は、いずれも、鍵本体部１１，２３，２１の下方に位置している。従って、演奏者が先端部１１ｋ，２３ｋ，２１ｇ側を押下したとき、この先端部が演奏者側に近づくことになるため、演奏操作の違和感はない。
【００２７】
図４は、本発明の他の実施の一形態における鍵ユニットを示す説明図である。
図４（ａ）は黒鍵ユニット３の右側面図、図４（ｂ）は白鍵ユニット２の右側面図、図４（ｃ）は白鍵ユニット１の右側面図であって、いずれも、後方部分については断面構造を示す。
この実施の形態は、鍵支点機能部を構成する縦ヒンジ部と左右ヒンジ部の配置を逆にしたものである。
【００２８】
最初に、図４（ｃ）を参照して白鍵ユニット１の鍵支点機能部の構造を説明する。
４５は白鍵ユニット１を構成する鍵の鍵本体部である。鍵支点機能部は、鍵本体部４５の後方における、上面部裏面よりも下方に形成され、この鍵支点機能部を介して共通基端部４６に結合され、樹脂により一体に形成されている。共通基端部４６は、鍵の長手方向に薄く鍵の幅方向に沿う帯状に形成されている。
縦ヒンジ部４５ｂは、鍵の長手方向に薄く鍵の下方向に沿う薄板片状に形成され、鍵の先端部４５ｅを押離鍵方向に揺動可能とする。この縦ヒンジ部４５ｂの上端は、上面部４５ｃの裏面（天井面）に結合されている。縦ヒンジ部４５ｂと鍵の左右側面部の間にスリットが形成され、縦ヒンジ部４５ｂは、鍵の左右側面部の内側面から離間している。
図示の縦ヒンジ部４５ｂは、鍵本体部４５に対し鉛直下方に延びているが、鍵の長手方向に傾斜させてもよい。
左右ヒンジ部４５ａは、鍵の幅方向に薄く鍵の長手方向に沿う薄板片状に形成され、鍵の先端部４５ｅを鍵の幅方向に変位可能とする。左右ヒンジ部４５ａの上端は、鍵の左右側面部の下端よりも下に位置している。左右ヒンジ部４５ａの前端は、縦ヒンジ部４５ｂの下部後面の中央に結合され、後端は、帯状の共通基端部４６の前面上部に結合されている。
左右ヒンジ部４５ａと結合されていない縦ヒンジ部４５ｂの下部が、揺動の鍵支点として機能する。
【００２９】
図４（ｂ）に示す白鍵ユニット２における鍵本体部４３の鍵支点機能部は、図４（ｃ）に示した鍵支点機能部と同様である。左右ヒンジ部４３ａ，縦ヒンジ部４３ｂの形状及び寸法は、白鍵ユニット１の左右ヒンジ部４５ａ，縦ヒンジ部４５ｂと同じでよい。
ただし、その共通基端部４４の位置は、共通基端部４６の厚み分だけ鍵の後端部４３ｄ側にずれて配置されている。
【００３０】
図４（ａ）に示す黒鍵ユニット３において、その鍵支点機能部は、後端部４１ｇ及び後面部４１ｅの下端から水平に鍵先端部４１ｆの方向に底面部４１ｃを形成し、この底面部４１ｃ先端部４１ｆ側の端部から下方向に延びる縦ヒンジ部４１ａを形成する。鍵の左右側面部の下端は、長手方向に傾斜し、底面部４１ｃには存在しない。そのため、図示の縦ヒンジ部４１ａは、鍵の左右側面部と結合することなく、鍵本体部４１に対し鉛直下方に延びている。縦ヒンジ部４１ａは、鍵の長手方向に傾斜させてもよい。
左右ヒンジ部４１ｂの前端は、縦ヒンジ部４１ａの後面下部中央に結合されているが、後端は、帯状の共通基端部４２の前面上部に結合されている。
左右ヒンジ部４１ｂと結合されていない縦ヒンジ部４１ａの下部が、揺動の鍵支点として機能する。
共通基端部４２は、鍵の長手方向に薄く鍵の幅方向に沿う帯状に形成されている。
なお、底面部４１ｃを設けることなく、後端部４１ｇの下端から直接下方向に縦ヒンジ部４１ａを結合してもよい。
【００３１】
左右ヒンジ部４５ａ，４３ａ，４１ｂの肉厚は、縦ヒンジ部４５ｂ，４３ｂ，４１ａよりも厚くしている。
各鍵ユニットの共通基端部４６，４４，４２の肉厚は、縦ヒンジ部４５ｂ，４３ｂ，４１ａよりも厚くしているが、同じにしてもよい。
上述した共通基端部４６、４４，４２は、先の実施の形態と同様に、取付孔（４６ａ等）を位置合わせしてネジ等により、鍵フレーム３１に整列固定する。
【００３２】
この実施の形態においても、縦ヒンジ部４５ｂ，４３ｂ，４１ａの下方に左右ヒンジ部４５ａ，４３ａ，４１ｂが位置するから、鍵支点機能部は、鍵本体部４５，４３，４１の上面部４５ｃ，４３ｃ，４１ｄ裏面よりも下方に形成されている。従って、楽器本体パネル部３５を高くしなくても、パネルに取り付ける部品の取付スペースが確保できる。
また、鍵支点機能部の一部は、後端部４５ｄ，４３ｄ，４１ｇよりも先端部４５ｅ，４３ｅ，４１ｆ寄りに形成されている。従って、鍵盤装置の鍵の長手方向の寸法を従来よりも短縮したり、収容スペースを広げたりできる。
【００３３】
上述した説明では、２個のアクチュエータを備えた鍵本体部について説明した。しかし、１個のアクチュエータを備えたものでもよい。また、押鍵後の押下げ量等を検出するアフタータッチセンサを備え、アフタータッチ制御をするものでもよい。
上述した説明では、1オクターブの鍵を３分割した鍵ユニットを用いたが、１オクターブ分以上の鍵を分割してもよいし、分割数を変えてもよい。
【図面の簡単な説明】
【００３４】
【図１】本発明の実施の一形態を説明する斜視図である。
【図２】本発明の実施の一形態における黒鍵ユニット３、白鍵ユニット２、白鍵ユニット１を示す説明図である。
【図３】図２に示した鍵ユニットを合わせて鍵盤装置を組み立てた状態を示す右側面図である。
【図４】本発明の他の実施の一形態における黒鍵ユニット３、白鍵ユニット２、白鍵ユニット１を示す説明図である。
【図５】従来の鍵ユニットの問題点を説明するための模式的説明図である。
【図６】従来の他の鍵ユニットの問題点を説明するための、１つの鍵を示す図である。
【符号の説明】
【００３５】
１１〜１４，２１，２３…鍵本体部、１１ａ，２１ａ，２３ａ…縦ヒンジ部、１１ｂ，２１ｂ，２３ｂ…左右ヒンジ部、１１ｃ，２１ｃ，２３ｃ…連結部、１１ｆ，２１ｅ，２３ｆ…上面部、１１ｋ，２１ｇ，２３ｋ…先端部、１１ｍ，２１ｎ，２３ｍ…後端部、１５〜１８…鍵支点機能部、１９，２２，２４…共通基端部、３１…鍵フレーム、３５…楽器本体パネル部、４１，４３，４５…鍵本体部、４１ａ，４３ｂ，４５ｂ…縦ヒンジ部、４１ｂ，４３ａ，４５ａ…左右ヒンジ部、４１ｄ，４３ｃ，４５ｃ…上面部、４１ｆ，４３ｅ，４５ｅ…先端部、４１ｇ，４３ｄ，４５ｄ…後端部、４２，４４，４６…共通基端部
【図１】
2008003209.tif 000003
【図２】
2008003209.tif 000004
【図３】
2008003209.tif 000005
【図４】
2008003209.tif 000006
【図５】
2008003209.tif 000007
【図６】
2008003209.tif 000008